(57)【要約】  反射板とカバーとをネジ等で固定しなくてもカバーが反射板から外れて落下するのを防止する。反射板（３）の互いに対向する両端のそれぞれには突出片（３ａ）が形成され、カバー（１）の互いに対向する両端のそれぞれには凹溝（１ａ）が形成され、突出片（３ａ）が凹溝（１ａ）の内部に嵌入することで突出片（３ａ）と凹溝（１ａ）とが互いに係合する係合部（Ｊ）を備えている。
2016052486.tif 000002
【特許請求の範囲】
【請求項１】
光源から出射される光を反射する反射板と、上記反射板の上記光源が実装される光源実装基板が固定される側を被覆するカバーと、を備えた反射板ユニットであって、
上記反射板の互いに対向する両端のそれぞれには、上記光源実装基板の基板面に沿い、かつ上記反射板の中央に向かう向きに突出する突出片が形成され、
上記カバーの互いに対向する両端のそれぞれには、上記光源実装基板の基板面に沿い、かつ上記反射板の外側に向う向きに延在する凹溝が形成され、
上記突出片が上記凹溝の内部に嵌入することで上記突出片と上記凹溝とが互いに係合する係合部を備えていることを特徴とする反射板ユニット。
【請求項２】
上記突出片は、上記反射板の上記両端のそれぞれが、上記反射板の中央に向かう向きに折り曲げられることによって形成され、
上記凹溝は、上記カバーの上記両端のそれぞれが、上記反射板の外側に向かう向きに折り曲げられることによって形成されていることを特徴とする請求項１に記載の反射板ユニット。
【請求項３】
請求項１または２に記載の反射板ユニットを含み、かつ上記光源を格納する光源格納部と、上記光源格納部に取付けられ、電源部を格納する電源格納部と、を備えた照明装置であって、
上記電源格納部の上記光源格納部が取り付けられる側と反対側の表面に突起部が形成されていることを特徴とする照明装置。
【請求項４】
上記反射板ユニットの互いに対向する両端のそれぞれを覆うサイドカバーを備え、
上記サイドカバーは、上記カバーの内周部に内接する構造を備えていることを特徴とする請求項３に記載の照明装置。
【請求項５】
上記光源格納部は、上記電源格納部に密着して取り付けられ、
上記係合部は、上記照明装置の内部に形成されていることを特徴とする請求項３または４に記載の照明装置。
【請求項６】
上記カバーの上記両端に形成された上記凹溝の底に位置する底面に対向する対向面に当接する当接片を両端に備え、上記当接片が上記対向面を押す力により上記係合部の係合状態の解除を防止する金具を備えていることを特徴とする請求項３から５までの何れか１項に記載の照明装置。
【請求項７】
上記金具の上記当接片の上記対向面に当接する側に、上記反射板の上記両端に存在する隙間に嵌入される嵌入凸部が形成されていることを特徴とする請求項６に記載の照明装置。
【請求項８】
上記金具が、上記反射板に形成された穴を塞ぐ位置に配置されていることを特徴とする請求項６または７に記載の照明装置。
【発明の詳細な説明】
【技術分野】
【０００１】
本発明は、光源から出射される光を反射する反射板と、反射板の光源が実装される光源実装基板が固定される側を被覆するカバーと、を備えた反射板ユニット、および該反射板ユニットを備えた照明装置に関する。
【背景技術】
【０００２】
従来、発光ダイオード（ＬＥＤ；light-emitting diode）等を光源として用いた照明装置が知られている。例えば、特許文献１には、複数のＬＥＤ発光素子が並べて取付けられているＬＥＤ基板が固定される反射板と、透光性カバーと、をスライド可能に係合させるための係合部が形成された照明装置が開示されている。より具体的には、この係合部は、反射板の反射面に反射面側から突出し、反射面から所定の傾斜角度を有するように形成された係合雄片と、透光性カバーの開口の面から所定の傾斜角度を有するように形成された溝であって、上記係合雄片に係合する溝である係合雌溝が形成されている。
【先行技術文献】
【特許文献】
【０００３】
【特許文献１】日本国公開特許公報「特開２０１３−１２７９５１号公報（２０１３年６月２７日公開）」
【発明の概要】
【発明が解決しようとする課題】
【０００４】
しかしながら、上述のような従来技術には、反射板からカバーが外れて落下する恐れがあるなどの種々の問題点がある。例えば、上記特許文献１に開示された反射板ユニットでは、係合雄片が反射面から所定の傾斜角度を有するように形成され、係合雌溝が透光性カバーの開口の面から所定の傾斜角度を有するように形成されている。このため、反射板と透光性カバーとを係合した際に、透光性カバーが落下する可能性がある。また、この反射板ユニットでは、別途、固定用部材としてのネジが必要となり、反射板と透光性カバーとをネジで固定する分だけ組立作業の作業工数が増加するという問題点もある。【０００５】
本発明は、以上の問題点に鑑みて為されたものであり、その目的は、反射板とカバーとをネジ等で固定しなくてもカバーが反射板から外れて落下するのを防止することができる反射板ユニットなどを提供することにある。
【課題を解決するための手段】
【０００６】
上記の課題を解決するために、本発明の一態様に係る反射板ユニットは、光源から出射される光を反射する反射板と、上記反射板の上記光源が実装される光源実装基板が固定される側を被覆するカバーと、を備えた反射板ユニットであって、上記反射板の互いに対向する両端のそれぞれには、上記光源実装基板の基板面に沿い、かつ上記反射板の中央に向かう向きに突出する突出片が形成され、上記カバーの互いに対向する両端のそれぞれには、上記光源実装基板の基板面に沿い、かつ上記反射板の外側に向う向きに延在する凹溝が形成され、上記突出片が上記凹溝の内部に嵌入することで上記突出片と上記凹溝とが互いに係合する係合部を備えていることを特徴としている。
【発明の効果】
【０００７】
本発明の一態様によれば、反射板とカバーとをネジ等で固定しなくてもカバーが反射板から外れて落下するのを防止することができるという効果を奏する。
【図面の簡単な説明】
【０００８】
【図１】本発明の実施形態１に係る照明装置の外観を示す斜視図である。
【図２】図１に示される照明装置の外観構造の詳細を示す図であって、（ａ）は正面図であり、（ｂ）は側面図であり、（ｃ）は上面図である。
【図３】図１に示される照明装置の電源格納部の外観構造を示す正面図である。
【図４】図１に示される照明装置の光源格納部の外観構造を示す正面図である。
【図５】図１に示される照明装置の要部に係る反射板ユニットの係合構造を示す断面図であり、（ａ）は、反射板とカバーとが係合した反射板ユニットの断面構造を示し、（ｂ）は、上記カバーの断面構造を示し、（ｃ）は、上記反射板の断面構造を示す。
【図６】本発明の実施形態２に係るカバーにサイドカバーを装着する形態を示す図であり、（ａ）は、カバーにサイドカバーを装着する前の状態を示し、（ｂ）は、カバーにサイドカバーを装着した後の状態を示し、（ｃ）および（ｄ）は、それぞれ、光源格納部の位置決め部材が形成されている側を電源格納部の嵌合孔に嵌合させる前の状態を示す。
【図７】図６に示される光源格納部のサイドカバーの外観を示す斜視図である。
【図８】図７に示されるサイドカバーの詳細構造を示す図であって、（ａ）は、上面図であり、（ｂ）は、正面図であり、（ｃ）は、下面図であり、（ｄ）は側面図であり、（ｅ）は裏面図であり、（ｆ）は、（ｂ）に示すＰ部部分の部分拡大図であり、（ｇ）は、（ｂ）に示すＡ−Ａ断面の断面図であり、（ｈ）は、（ｂ）に示すＢ−Ｂ断面の断面図である。
【図９】図６に示される光源格納部のカバーの外観を示す斜視図である。
【図１０】図９に示されるカバーの詳細構造を示す図であって、（ａ）は、側面図であり、（ｂ）は、上面図であり、（ｃ）は、（ａ）に示すＱ部分の部分拡大図である。
【図１１】（ａ）は、図１の（ｃ）に示す照明装置の上面図であり、（ｂ）は、本発明の実施形態３に係る電源格納部の構造を示す断面図である。
【図１２】（ａ）は、本発明の実施形態４に係るバネ部が設けられた反射板ユニットの構造を示し、（ｂ）は、本発明の実施形態４に係るバネ受け部が設けられた本体シャーシの構造を示す図であり、（ｃ）は解除穴の近傍における断面構造を示す断面図であり、（ｄ）は解除穴の近傍における他の断面構造を示す断面図である。
【図１３】（ａ）は上記バネ部および上記バネ受け部を並べた状態を示す図であり、（ｂ）は上記バネ部の上記バネ受け部への結合および上記バネ部の上記バネ受け部からの取り外しの手順を示す図である。
【図１４】本発明の実施形態５に係る金具について説明するための図であり、（ａ）は、上記金具を設置する前の反射板ユニットの構造を示す断面図であり、（ｂ）は、上記金具を設置した後の反射板ユニットの構造を示す断面図であり、（ｃ）は、上記金具の全体構成を示す斜視図である。
【図１５】上記金具の反射板における設置場所を説明するための図であり、（ａ）は、上記金具が設置された後の反射板の状態を示し、（ｂ）は、上記反射板に形成された穴を示す図であり、（ｃ）は、絶縁テープ等で上記穴を塞いだ状態を示し、（ｄ）は、上記金具で上記穴を塞いだ状態を示す。
【図１６】反射板に形成される切り欠けおよび切り欠け穴について説明するための図であり、（ａ）は、上記反射板の裏側の状態を示し、（ｂ）は、上記反射板の表側の状態を示し、（ｃ）は、切り欠けを設けてＬＥＤ実装基板を上記反射板に固定した状態を示す。
【発明を実施するための形態】
【０００９】
本発明の実施の形態について図１〜図１６に基づいて説明すれば、次の通りである。以下、説明の便宜上、特定の実施形態にて説明した構成と同一の機能を有する構成については、同一の符号を付記し、その説明を省略する場合がある。
【００１０】
〔実施形態１〕
まず、図１〜図５に基づき、本発明の実施形態１に係る照明装置２０の構造について説明する。
【００１１】
（照明装置の構造）
図１は、本実施形態の照明装置２０の外観を示す斜視図である。図１に示されるように、照明装置２０は、電源格納部３０と、光源格納部４０とを備える。照明装置２０は、電源格納部３０の光源格納部４０が装着されている側とは反対側から所定の部材（例えば天井）に取付けられる。
【００１２】
図２は、図１に示される照明装置２０の外観構造の詳細を示す図であって、図２の（ａ）は正面図であり、図２の（ｂ）は側面図であり、図２の（ｃ）は上面図である。図２の（ａ）に示されるように、電源格納部３０と、光源格納部４０とは、互いに接続（または結合）されている。電源格納部３０には、後述する複数の解除穴３１が設けられている。解除穴３１は、電源格納部３０と光源格納部４０との接続の解除に利用される。
【００１３】
図２の（ｂ）に示されるように、電源格納部３０は、ノックアウト３２を備える。ノックアウト３２を打つまたは切ることにより、電源格納部３０の内部に通じる穴を設けることができる。
【００１４】
図２の（ｃ）に示されるように、電源格納部３０は、複数の突起（突起部）３３と、突出部３４とを備える。電源格納部３０には、複数の取付穴（取付用の穴）３５と、複数の配線穴（配線用の穴；交流電圧の電線を通す穴）３６とが設けられている。取付穴３５は、照明装置２０を所定の部材（例えば、天井）に取り付けるために利用される。配線穴３６は、照明装置２０の内部に配線を引き込むために利用される。突出部３４は、取付穴３５と配線穴３６との間に形成されている。
【００１５】
（電源格納部）
電源格納部３０は、照明装置２０の光源などに電力を供給する電源部８を格納する。図３は、図１に示される照明装置２０の電源格納部３０の構成を示す図であって、図３の（ａ）は正面図であり、図３の（ｂ）は、図３の（ａ）に示される範囲Ａの底面図であり、図３の（ｃ）は、図３の（ａ）に示される範囲Ｂの底面図であり、図３の（ｄ）は範囲Ｂの上面図である。なお、電源格納部３０の、光源格納部４０に対向する側を底面とし、この底面の反対側を上面としている。
【００１６】
図３の（ａ）に示されるように、電源格納部３０は、上記の電源部８の他、本体シャーシ７と、電源端子台９と、調光端子台１０と、複数のバネ受け部１１とを備える。
【００１７】
電源部８は、電源格納部３０の、突出部３４が設けられた位置〔図３の（ａ）において斜線で示される位置〕に格納される。具体的には、突出部３４は、電源格納部３０の内面において凹部になっている。そして、電源部８は、この凹部に格納される。
【００１８】
図３の（ｂ）に示されるように、電源格納部３０は、第１配線３９をさらに備える。第１配線３９の一端は、電源部８に接続されている。また、第１配線３９の他端には、コネクタ３９１が取り付けられている。電源部８は、交流電圧を受け、この第１配線３９を介し直流電圧を後述のＬＥＤ４ａに供給する。
【００１９】
図３の（ｃ）に示されるように、電源端子台９と、調光端子台１０とは、本体シャーシ７に取り付けられている。上述の突起３３と、突出部３４とは、本体シャーシ７に設けられている。電源端子台９および調光端子台１０は、それぞれ、電源部８に配線で接続されている。
【００２０】
図３の（ｃ）および（ｄ）に示されるように、配線穴３６の縁に、樹脂製の絶縁キャップ３６１が取り付けられている。これにより、電線が金属製の本体シャーシ７で擦れてショートすることを防止できる。特に、突起３３により、本体シャーシ７と、照明装置２０が装着される部材（天井など）との間に隙間が形成される場合には、上述の交流電線（配線穴３６を通る電線）は、この隙間を動きやすいが、絶縁キャップ３６１によれば、金属製の孔の縁と電線とが擦れてショートする問題を防ぐことができる。この電線は、例えば、ＶＶＦ（Vinyl insulated Vinyl sheeted Flat-type）線である。また、電線には、アース線も含まれる。
【００２１】
（光源格納部）
光源格納部４０は、電源格納部３０に取り付けられており、複数の発光ダイオード（ＬＥＤ）を格納している。
【００２２】
図４は、図１に示される照明装置２０の光源格納部４０の構成を示す図であって、図４の（ａ）は正面図であり、図４の（ｂ）は、図４の（ａ）に示される範囲Ｃの上面図であり、図４の（ｃ）は、図４の（ｂ）においてサイドカバー２が外された状態を示し、図４の（ｄ）は範囲Ｃの斜視図であり、図４の（ｅ）は、図４の（ｄ）においてサイドカバー２が外された状態を示す。なお、光源格納部４０の、電源格納部３０に対向する側を上面としている。
【００２３】
図４の（ａ）に示されるように、光源格納部４０は、カバー１、複数のサイドカバー２、反射板３、ＬＥＤ実装基板４（光源実装基板）、ＬＥＤ４ａ（光源）、複数のバネ部５、および複数の落下防止ヒモ６を備える。サイドカバー２は、光源格納部４０の両端のそれぞれを覆っている。より具体的には、サイドカバー２は、カバー１と反射板３とによって規定される開口部分の一端とカバー１と反射板３とによって規定される開口部分の他端とをそれぞれ覆う。ＬＥＤ実装基板４は、反射板３に固定されている。また、反射板３のＬＥＤ実装基板４が実装されている側は、カバー１で被覆されている。バネ部５は、上述のバネ受け部１１に接続・固定されることにより、光源格納部４０を電源格納部３０に接続・固定する。さらに、バネ部５は、カバー１と反射板３との位置関係を固定している。
【００２４】
（電気的接続）
図４の（ｂ）および（ｄ）に示されるように、光源格納部４０は、第２配線４９（直流電圧供給線）を備える。この第２配線４９の一端は、後述するようにＬＥＤ実装基板４（ＬＥＤ）から引き出されている。また、第２配線４９の他端には、コネクタ４９１が取り付けられている。そして、コネクタ４９１と、上述のコネクタ３９１とが接続されることにより、ＬＥＤ実装基板４と、電源部８とが、電気的に接続される。すなわち、ＬＥＤは、電源格納部３０に格納された電源部８と配線によって電気的に接続されている。具体的には、電源格納部３０は、電源部８から引き出された第１配線３９を有する一方、光源格納部４０は、ＬＥＤ実装基板４（ＬＥＤ）から引き出された第２配線４９を有している。また、第１配線３９と第２配線４９とは、それぞれコネクタを有しており、これらのコネクタが接続されることにより、電気的に接続される。
【００２５】
ここで、サイドカバー２と反射板３との間には、第２配線４９を通す穴（隙間）が設けられている。また、図４の（ｃ）および（ｅ）に示されるように、反射板３の範囲Ｄには、開口部が設けられている。ＬＥＤ実装基板４は、この開口部からサイドカバー２側に露出している。そして、第２配線４９は、この隙間と開口部とを介し、ＬＥＤ実装基板４に接続されている。
【００２６】
第２配線４９を通す隙間には、スポンジ１９が取り付けられ塞がれている。これにより、ＬＥＤ実装基板４に、埃や虫が侵入することを防止できる。スポンジ１９を用いる事により、隙間の形状に合わせて容易に変形させながら隙間を塞ぐ事ができる。また、スポンジ１９は配線より軟らかい材料であるため、第２配線４９のダメージを低減でき短絡防止できる。さらに、スポンジ１９は接着部材で隙間を塞ぐのとは異なり、サイドカバー２を容易に何度も繰り返して取り付けたり取り外したりする事が可能である。
【００２７】
（反射板ユニット）
図５は、図１に示される照明装置２０の光源格納部４０の要部に係る反射板ユニット２１の係合構造を示す断面図である。図５の（ａ）は、反射板３とカバー１とが係合した反射板ユニット２１の断面構造を示す。また、図５の（ｂ）は、カバー１の断面構造を示し、図５の（ｃ）は、反射板３の断面構造を示す。
【００２８】
図５の（ａ）に示すように反射板ユニット２１は、カバー１、反射板３、ＬＥＤ実装基板４、およびＬＥＤ４ａを備える。反射板３は、ＬＥＤ４ａから出射される光を反射する部材である。カバー１は、反射板３のＬＥＤ４ａが実装されるＬＥＤ実装基板４が固定される側を被覆する部材であり、ＬＥＤ４ａの光を透過する。
【００２９】
図５の（ｂ）に示すように、カバー１の短手方向の互いに対向する両端のそれぞれには、ＬＥＤ実装基板４の基板面に沿い（天井に平行に）、かつ反射板３の外側に向う向きに延在する凹溝１ａが形成されている。一方、図５の（ｃ）に示すように、反射板３の短手方向の互いに対向する両端のそれぞれには、ＬＥＤ実装基板４の基板面に沿い（天井に平行に）、かつ反射板３の中央に向かう向きに突出する突出片３ａが形成されている。図５の（ａ）に示すように、反射板ユニット２１では、突出片３ａは凹溝１ａの内部に嵌入することで突出片３ａと凹溝１ａとが互いに係合する係合部Ｊが形成されている。また、係合部Ｊでは、突出片３ａが凹溝１ａの内部に嵌入される際、遊びをもった状態で、カバー１と反射板３とが係合している。これにより、カバー１が反射板３に対して相対的にスライドすることができるようになっている。
【００３０】
すなわち、反射板ユニット２１は、突出片３ａが凹溝１ａの内部に嵌入することで突出片３ａと凹溝１ａとが互いに係合する係合部Ｊを備えている。また、突出片３ａが突出する向きは、ＬＥＤ実装基板４の基板面に沿い、かつ反射板３の中央に向かう向きとなっている。さらに、凹溝１ａが延在する向きは、ＬＥＤ実装基板４の基板面に沿い、かつ反射板３の外側に向う向きとなっている。このため、反射板３およびカバー１の、ＬＥＤ実装基板４の基板面に垂直な方向に対する相対的な動きは、係合部Ｊによって制限される。これにより、反射板３からカバー１が外れてＬＥＤ実装基板４の基板面に垂直な方向（鉛直方向）に落下するのを防止することができる。また、上記構成によれば、反射板３とカバー１とをネジ等で固定する必要がなく作業工数が少なくて済む。以上より、反射板３とカバー１とをネジ等で固定しなくてもカバー１が反射板３から外れて落下するのを防止することができる。
【００３１】
次に、図５の（ａ）に示すように反射板３の突出片３ａは、反射板３の長手方向の一端から他端にかけて、反射板３の短手方向の両端のそれぞれが、反射板３の中央に向かう向きに折り曲げられることによって形成されている。一方、カバー１の凹溝１ａは、カバー１の長手方向の一端から他端にかけて、カバー１の短手方向の両端のそれぞれが、反射板３の外側に向かう向きに折り曲げられることによって形成されている。上記構成によれば、突出片３ａと凹溝１ａとは、反射板３の短手方向の両端のそれぞれとカバー１の短手方向の両端のそれぞれとが互いに対向する向きに、長手方向の一端から他端にかけて折り曲げられて形成されている。このため、突出片３ａと凹溝１ａとを互いに係合させた場合に、係合部Ｊの表面が露出しないようにすることができる。このため、係合部Ｊを介して、直接埃や虫が侵入するのを阻止することができる。
【００３２】
以上により、上述した係合部Ｊを設けることにより、カバー１が落下するのを防止するための固定用部材（ネジ）が不必要となり、作業工数を減らすと共に、光源格納部４０の内部に埃や虫が侵入するのを防止することができる。
【００３３】
〔実施形態２〕
図６は、本発明の実施形態２に係るカバー１にサイドカバー２を装着する形態を示す図である。図６の（ａ）は、カバー１にサイドカバー２を装着する前の状態を示す。一方、図６の（ｂ）は、カバー１にサイドカバー２を装着した後の状態を示す。図６の（ｃ）および図６の（ｄ）は、それぞれ、光源格納部４０の位置決め部材２ａが形成されている側を電源格納部３０の嵌合孔Ｈに嵌合させる前の状態を示す。カバー１には、図５に示した反射板３、および反射板３上に、ＬＥＤ４ａが実装されたＬＥＤ実装基板４を備え、カバー１が反射板３に対して相対的にスライドして形成されている。
【００３４】
（サイドカバー）
サイドカバー２は、反射板ユニット２１の互いに対向する長手方向の両端のそれぞれを覆う部材である。具体的には、サイドカバー２は、反射板ユニット２１の互いに対向する長手方向の両端を被覆する被覆部とカバー内接部１４と反射板３にサイドカバー２を固定する固定部１４aと位置決め部材２ａとを備えている。図６の（ａ）に示すように、カバー１の内周部１２に内接するカバー内接部１４を備えることにより、反射板ユニット２１の長手方向の両端のそれぞれにサイドカバー２を装着させた際、サイドカバー２のカバー内接部１４はカバー１の内周部１２に内接する。このため、サイドカバー２のカバー内接部１４とカバー１の内周部１２との接触部分から、直接埃や虫が侵入するのを防止することができる。サイドカバー２は、ＬＥＤ４ａの光を透過する部材であることが好ましい。
【００３５】
（位置決め部材）
位置決め部材２ａは、図６の（ｃ）に示すように、電源格納部３０に対するサイドカバー２の位置を規定するものである。電源格納部３０に位置決め部材２ａ嵌合用の穴（嵌合孔Ｈ）を設け、光源格納部４０を電源格納部３０に取り付ける際にさらに、嵌合孔Ｈに位置決め部材２ａを挿入すれば、電源格納部３０とサイドカバー２との位置関係を容易に固定することができる。
【００３６】
図７は、図６に示される光源格納部４０のサイドカバー２の外観を示す斜視図である。また、図８は、図７に示されるサイドカバー２の詳細構造を示す図であって、図８の（ａ）は、上面図であり、図８の（ｂ）は、正面図であり、図８の（ｃ）は、下面図であり、図８の（ｄ）は側面図であり、図８の（ｅ）は裏面図である。また、図８の（ｆ）は、図８の（ｂ）に示すＰ部部分の部分拡大図である。図８の（ｇ）は、図８の（ｂ）に示すＡ−Ａ断面の断面図であり、図８の（ｈ）は、図８の（ｂ）に示すＢ−Ｂ断面の断面図である。
【００３７】
次に、図９は、図６に示される光源格納部４０のカバー１の外観を示す斜視図である。また、図１０は、図９に示されるカバー１の詳細構造を示す図であって、図１０の（ａ）は、側面図であり、図１０の（ｂ）は、上面図である。また、図１０の（ｃ）は、図１０の（ａ）に示すＱ部分の部分拡大図である。
【００３８】
〔実施形態３〕
図１１の（ａ）は、図１に示す照明装置２０の上面図であり、図１１の（ｂ）は、本発明の実施形態３に係る照明装置２０の構造を示す断面図である。図１１の（ｂ）は、図１１の（ａ）に示すＡ−Ａ断面の断面図である。
【００３９】
（突起）
図１１の（ｂ）に示すように、電源格納部３０の光源格納部４０が取り付けられる側と反対側の表面には突起３３（突起部）が形成されている。これにより、電源格納部３０の光源格納部４０が取り付けられる側と反対側の表面を、例えば、天井などの部材に取付ける場合に、突起３３の存在により天井の凹凸を吸収することができる。
【００４０】
（配線穴、取付穴について）
上述したように、照明装置２０の電源格納部には、配線穴３６と、取付穴３５と、が形成されている。電源格納部３０に上述した突起３３、配線穴３６および取付穴３５を設けた場合、例えば、照明装置２０を取り付けた天井の隙間を通り、配線穴３６や取付穴３５を介して、電源格納部３０の内部に虫や埃が侵入する恐れがある。しかしながら、上述した係合部Ｊを設けることにより電源格納部３０の内部から光源格納部４０の内部への埃や虫の侵入を阻止できるため、埃や虫に起因した影などの発生を抑制することができる。
【００４１】
（本体シャーシとカバーとの密着について）
電源格納部３０の本体シャーシ７の短手方向の両下端部のそれぞれは、カバー１の係合部Ｊの上部水平面に密着している。また、係合部Ｊの存在位置は照明装置２０の内部となっており、係合部Ｊは表面に露出していない。これにより、光源格納部４０と電源格納部３０との密着部分から、直接埃や虫が侵入するのを防止することができる。また、係合部Ｊは照明装置２０の内部に形成されているため、照明装置２０の内部に埃や虫が浸入しても、光源格納部４０の内部への埃や虫の侵入を係合部Ｊで阻止できるため、埃や虫に起因した影などの発生を抑制することができる。
【００４２】
〔実施形態４〕
図１２の（ａ）は、本発明の実施形態４に係る光源格納部４０の構造を示す断面図である。
【００４３】
（バネ部）
バネ部５の端部５１（可動部）は、ネジ６０により固定される固定部５２から立ち上がるように折り曲げられている。端部５１は、固定部５２の付近で、カバー１の凹溝１ａの外側端面を矢印方向に押圧するように押圧力（バネ力）を作用させている。カバー１は、この押圧力を受けて変形することにより、凹溝１ａが反射板３の突出片３ａに押し付けられる。これにより、凹溝１ａが突出片３ａに圧接するので、反射板３に対するカバー１の動きが抑制される。
【００４４】
したがって、凹溝１ａと突出片３ａとの係合部分におけるガタつきを解消することができると共に、光源格納部４０を電源格納部３０と接続固定するためのバネ部５を用いて、反射板３とカバー１との位置関係を固定することができる。換言すれば、バネ部５が、光源格納部４０を電源格納部３０に結合させる機能と、係合部分のガタつきを無くす機能とを兼ね備えている。よって、これらの機能を実現するために、新たな部品を用いる必要が無く、コストの削減および作業工数削減が可能となる。
【００４５】
図１２の（ｂ）は本発明の実施形態４に係る本体シャーシ７におけるバネ受け部１１の配置を示す斜視図であり、図１２の（ｃ）は解除穴３１の近傍における断面構造を示す断面図であり、図１２の（ｄ）は解除穴３１の近傍における他の断面構造を示す断面図である。
【００４６】
本実施形態では、図１２の（ｂ）に示されるように、本体シャーシ７（トラフ）に、電源格納部３０と光源格納部４０との接続（またはバネ部５およびバネ受け部１１の接続）を解除するための解除穴３１が設けられている。本体シャーシ７は、バネ受け部１１が固定される固定板７ａと、固定板７ａの両方の側端部に設けられた側壁板７ｂとを有している。解除穴３１は、側壁板７ｂにおける、バネ受け部１１が固定される側方の位置に形成されている。
【００４７】
後述するように解除穴３１から治具を差し込んでバネ部５の端部５１を押すだけで、バネ部５とバネ受け部１１との係合が解除されるので、容易に電源格納部３０と光源格納部４０との接続を解除できる。解除穴３１によって、バネ部５を押す位置、方向が明確に定まるので、照明装置２０が設置される天井面近くでも、良好な作業性を確保することができる。
【００４８】
また、解除穴３１が治具を挿入できる程度に小さく形成されることや、一般に照明装置２０が利用者から離れて設置されることや、光源格納部４０が電源格納部３０よりも幅が広いことから、解除穴３１が露出していてもほとんど目につくことはない。したがって、照明装置２０の外観上の美観が解除穴３１によって損なわれることはない。
【００４９】
また、解除穴３１およびバネ受け部１１は、本体シャーシ７の長手方向について同じ位置にあり、図１２の（ｂ）に示されるように、バネ受け部１１は、本体シャーシ７に内接して設置されている。図１２の（ｃ）に示される構造では、バネ受け部１１の端部１１ａが固定板７ａ側に９０度未満の角度で折り曲げられている。一方、図１２の（ｄ）に示される構造では、バネ受け部１１の端部１１ｂが固定板７ａと平行に伸びる部分と、端部１１ａと同様に折り曲げられる部分とからなる。バネ受け部１１が本体シャーシ７に内接して設置されることにより、本体シャーシ７における解除穴３１付近の機械的強度を補うことができる。
【００５０】
（バネ部とバネ受け部との結合およびその解除）
図１３の（ａ）はバネ部５およびバネ受け部１１を並べた状態を示す図であり、図１３の（ｂ）はバネ部５のバネ受け部１１への結合およびバネ部５のバネ受け部１１からの取り外しの手順を示す図である。
【００５１】
図１３の（ａ）に示されるように、バネ受け部１１は、光源格納部４０の荷重を受けても変形しないように、バネ部５よりも幅が広く、かつ、厚い金属板により形成されている。
【００５２】
バネ部５のバネ受け部１１への結合およびその解除については、図１３の（ｂ）に示す[Ａ]〜[Ｄ]のようにして行われる。まず、[Ａ]のバネ部５がバネ受け部１１から離れている状態から、[Ｂ]のようにしてバネ部５（光源格納部４０）をバネ受け部１１（電源格納部３０）に接触させた状態で、さらに光源格納部４０を電源格納部３０側に押し込む。これにより、[Ｃ]のように、バネ部５がバネ受け部１１と結合して、光源格納部４０が電源格納部３０と組み合わされる。この状態では、バネ部５の端部５１がバネ受け部１１の端部１１ａと噛み合う（係合する）ことにより、バネ部５がバネ受け部１１と結合している。
【００５３】
また、この状態で、治具によりバネ部５の一方の端部５１を押す（白抜き矢印のように押す）ことにより、[Ｄ]のように、当該端部５１とバネ受け部１１の端部１１ａとの噛み合いが外れる。さらに他方の端部５１とバネ受け部１１の端部１１ａとの噛み合いを外すことで、[Ａ]のように、バネ受け部１１からバネ部５を外して、光源格納部４０が電源格納部３０から取り外される。
【００５４】
なお、解除穴３１から電源格納部３０の内部に埃や虫が侵入する恐れがあるが、上述した係合部Ｊを設けることにより、光源格納部４０の内部までの虫や埃の侵入を防ぐことができるようになり、照明装置２０の光源の品位に係る埃や虫に起因した影などの発生を抑制できる。
【００５５】
〔実施形態５〕
次に、図１４および図１５に基づき、本発明の実施形態５に係る固定金具（金具）１５について説明する。図１４は、固定金具１５について説明するための図である。図１４の（ａ）は、固定金具１５を設置する前の（実施形態１の）反射板ユニット２１の構造を示す断面図である。上述した実施形態１の反射板ユニット２１では、反射板３とカバー１とをネジ等で固定しなくてもカバー１が反射板３から外れて落下するのを防止できる構造を採用していた。
【００５６】
また、実施形態１の反射板ユニット２１では、反射板３の短手方向の両端に形成された突出片３ａとカバー１の凹溝１ａとが互いに結合する係合部Ｊにより、カバー１が反射板３に対して相対的にスライドすることができるようになっていた。
【００５７】
また、実施形態１の反射板ユニット２１では、カバー１を反射板３の突出片３ａに合せてスライドさせることで、カバー１を反射板３に装着させることができるが、図１４の（ａ）の白抜き矢印で示すように、カバー１の両側に外側から力を加えると、カバー１の短手方向の両端が押されることで、係合部Ｊの係合状態が解除されてしまう可能性がある。
【００５８】
この可能性を低減させるために、上述した実施形態４に示す（光源格納部４０と電源格納部３０とを結合させるための）バネ部５を設置することで、カバー１の両端に働く外側からの力を抑制することができるが、バネ部５は、反射板３の３箇所程度しか設けないため、バネ部５が設置された箇所以外で力が加わると、係合部Ｊの係合状態が解除されてしまう可能性がある（カバー１が反射板３から外れてしまう可能性がある）。
【００５９】
そこで、以上の問題点を解決するため、本実施形態では、図１４の（ｂ）に示すように、反射板３の裏面〔ＬＥＤ実装基板４が設置される側の面と反対側の面；図５（ａ）参照〕側に、固定金具１５を嵌合させている。
【００６０】
固定金具１５は、図１４の（ｂ）および（ｃ）に示すように、カバー１の両端に形成された凹溝１ａの底に位置する底面ＳＵＦ１に対向する対向面ＳＵＦ２に当接する当接片１５ａを両端に備えている。固定金具１５は、当接片１５ａが対向面ＳＵＦ２を押す力により係合部Ｊの係合状態の解除を防止するようになっている。このように固定金具１５を設けることで、カバー１の両端に外側から働く力を抑えることができ、施工時のカバー１外れの懸念が無くなり、その結果、照明装置２０（光源部）の耐久性が向上する。
【００６１】
次に、図１４の（ｂ）および（ｃ）に示すように、固定金具１５の設置を容易にするために、固定金具１５の当接片１５ａの対向面ＳＵＦに当接する側に、反射板３の両端に存在する隙間Ｃに嵌入される嵌入凸部１５ｂ（ダボ）を形成することが好ましい。これにより、固定金具１５の両端に嵌入凸部１５ｂを設けることで、固定金具１５の設置時に固定金具１５を反射板３側に押し込むことにより、その嵌入凸部１５ｂが反射板３の両端に存在する隙間Ｃに入り込み、抜けなくすることで、ネジを使用せず、固定金具１５を設置することができる。
【００６２】
次に、図１５は、固定金具１５の反射板３における設置場所を説明するための図である。図１５の（ａ）は、固定金具１５が設置された後の反射板３を示す。また、図１５の（ｂ）は、反射板３に形成された切り欠けの穴を示す図である。また、図１５の（ｃ）は、絶縁テープ等で上記穴を塞いだ状態を示し、図１５の（ｄ）は、固定金具１５で上記穴を塞いだ状態を示す。同図に示すように、固定金具１５は、反射板３に形成された穴を塞ぐ位置に配置されていることが好ましい。これにより、絶縁テープなどを用いること無く、反射板３に形成された穴を固定金具１５で塞ぐことができる。反射板３にＬＥＤ実装基板４を固定する際に、反射板３に切り欠けを設け、その切り欠けの穴を塞ぐために、絶縁テープ等で封止する必要があったが、固定金具１５を用いれば、テープの封止も兼ねることができ、テープ封止を廃止することができる。
【００６３】
上述した実施形態１〜４では、ＬＥＤ実装基板４を反射板３に固定する際に、ねじやブッシュを用いていたが、図１６に示すように、反射板３に切り欠けを設けて、それを捻ることで、ＬＥＤ実装基板４を反射板３に固定してもよい。図１６は、反射板３に形成される切り欠けおよび切り欠け穴について説明するための図である。図１６の（ａ）は、反射板３の裏側（ＬＥＤ実装基板４が設置される側と反対側の面）の状態を示し、図１６の（ｂ）は、上記反射板の表側（ＬＥＤ実装基板４が設置される側の面）の状態を示す。また、図１６の（ｃ）は、切り欠けを設けてＬＥＤ実装基板４を反射板３に固定した状態を示す。以上の切り欠けおよび切り欠け穴の設置により、ねじ等を用いる場合と比較して部品削減の効果が得られる。また、ねじを用いると、反射板３の裏側にねじの頭が飛び出るため、その分の空間を設ける必要があり、結果、器具の高さが大きくなるのに対して、反射板３に切り欠けを設けた場合、ねじを用いず、薄型が可能となる。そのため、反射板３に形成された切り欠けの穴がある場合には、上述したように固定金具１５で封止することもできる。
【００６４】
以上のように、固定金具１５を追加することにより、
（１）反射板ユニット２１の係合部Ｊの係合状態が解除されてしまう可能性を抑制することができ、信頼性・施工性が向上する。固定金具１５は、設置が容易にでき、コストも抑えることができる。
（２）固定金具１５により反射板３の穴を塞ぐことができる。
【００６５】
〔まとめ〕
本発明の態様１に係る反射板ユニット（２１）は、光源から出射される光を反射する反射板（３）と、上記反射板の上記光源（ＬＥＤ４ａ）が実装される光源実装基板（ＬＥＤ実装基板４）が固定される側を被覆するカバー（１）と、を備えた反射板ユニットであって、上記反射板の互いに対向する両端のそれぞれには、上記光源実装基板の基板面に沿い、かつ上記反射板の中央に向かう向きに突出する突出片（３ａ）が形成され、上記カバーの互いに対向する両端のそれぞれには、上記光源実装基板の基板面に沿い、かつ上記反射板の外側に向う向きに延在する凹溝（１ａ）が形成され、上記突出片が上記凹溝の内部に嵌入することで上記突出片と上記凹溝とが互いに係合する係合部（Ｊ）を備えている構成である。
【００６６】
上記構成によれば、突出片が凹溝の内部に嵌入することで突出片と凹溝とが互いに係合する係合部を備えている。また、突出片が突出する向きは、光源実装基板の基板面に沿い、かつ反射板の中央に向かう向きとなっており、凹溝が延在する向きは、光源実装基板の基板面に沿い、かつ反射板の外側に向う向きとなっている。このため、反射板およびカバーの、光源実装基板の基板面に垂直な方向に対する相対的な動きは、係合部によって制限される。これにより、反射板からカバーが外れて光源実装基板の基板面に垂直な方向に落下するのを防止することができる。また、上記構成によれば、反射板とカバーとをネジ等で固定する必要がなく作業工数が少なくて済む。以上より、反射板とカバーとをネジ等で固定しなくてもカバーが反射板から外れて落下するのを防止することができる。
【００６７】
本発明の態様２に係る反射板ユニットは、上記態様１において、上記突出片は、上記反射板の上記両端のそれぞれが、上記反射板の中央に向かう向きに折り曲げられることによって形成され、上記凹溝は、上記カバーの上記両端のそれぞれが、上記反射板の外側に向かう向きに折り曲げられることによって形成されていることが好ましい。上記構成によれば、突出片と凹溝とは、反射板の両端のそれぞれとカバーの両端のそれぞれとが互いに対向する向きに折り曲げられて形成されている。このため、突出片と凹溝とを互いに係合させた場合に、係合部の表面が露出しないようにすることができる。このため、係合部を介して、直接埃や虫が侵入するのを阻止することができる。
【００６８】
本発明の態様３に係る照明装置は、上記態様１または２の反射板ユニットを含み、かつ上記光源を格納する光源格納部（４０）と、上記光源格納部に取付けられ、電源部を格納する電源格納部（３０）と、を備えた照明装置（２０）であって、上記電源格納部の上記光源格納部が取り付けられる側と反対側の表面に突起部（突起３３）が形成されていることが好ましい。上記構成によれば、電源格納部の光源格納部が取り付けられる側と反対側の表面を、例えば、天井などの部材に取付ける場合に、突起部の存在により天井の凹凸を吸収することができる。
【００６９】
本発明の態様４に係る照明装置は、上記態様３において、上記電源格納部には、配線用の穴（配線穴３６）と、取付用の穴（取付穴３５）と、が形成されていても良い。電源格納部に上述した突起部、配線用の穴および取付用の穴を設けた場合、例えば、照明装置を取り付けた天井の隙間を通り、配線用の穴や取付用の穴を介して、電源格納部の内部に虫や埃が侵入する恐れがある。しかしながら、上述した係合部を設けることにより電源格納部の内部から光源格納部の内部への埃や虫の侵入を阻止できるため、埃や虫に起因した影などの発生を抑制することができる。
【００７０】
本発明の態様５に係る照明装置は、上記態様３または４において、上記反射板ユニットの互いに対向する両端のそれぞれを覆うサイドカバー（２）を備え、上記サイドカバーは、上記カバーの内周部（１２）に内接する構造を備えていることが好ましい。上記構成によれば、反射板ユニットの両端のそれぞれにサイドカバーを装着させた際、サイドカバーはカバーの内周部に内接する。このため、サイドカバーとカバーの内周部との接触部分から、直接埃や虫が侵入するのを防止することができる。
【００７１】
本発明の態様６に係る照明装置は、上記態様３〜５のいずれかにおいて、上記光源格納部は、上記電源格納部に密着して取り付けられ、上記係合部は、上記照明装置の内部に形成されていることが好ましい。上記構成によれば、光源格納部と電源格納部との密着部分から、直接埃や虫が侵入するのを防止することができる。また、係合部は照明装置の内部に形成されているため、照明装置の内部に埃や虫が浸入しても、光源格納部の内部への埃や虫の侵入を係合部で阻止できるため、埃や虫に起因した影などの発生を抑制することができる。 
【００７２】
本発明の態様７に係る照明装置は、上記態様３〜６のいずれかにおいて、上記光源格納部を上記電源格納部と接続固定するためのバネ部（５）と、上記バネ部と係合するバネ受け部（１１）と、を有しており、上記バネ部は、上記反射板の上記光源実装基板が固定される面と反対側の面に設けられ、上記バネ受け部は、上記電源格納部に格納される面側に設けられ、上記電源格納部に、治具を差し込むことにより上記バネ部と上記バネ受け部との係合が解除される解除穴（３１）が設けられていても良い。上記構成によれば、解除穴から治具を差し込み、容易に電源格納部と光源格納部との接続を解除できる。
【００７３】
本発明の態様８に係る照明装置は、上記態様３〜７のいずれかにおいて、上記カバーの上記両端に形成された上記凹溝の底に位置する底面に対向する対向面に当接する当接片を両端に備え、上記当接片が上記対向面を押す力により上記係合部の係合状態の解除を防止する金具を備えていることが好ましい。上記構成によれば、金具を設けることで、カバーの両端に外側から働く力を抑えることができ、カバー外れの懸念が無くなり、その結果、照明装置の耐久性を向上させることができる。
【００７４】
本発明の態様９に係る照明装置は、上記態様８において、上記金具の上記当接片の上記対向面に当接する側に、上記反射板の上記両端に存在する隙間に嵌入される嵌入凸部が形成されていることが好ましい。上記構成によれば、金具の両端の当接片に嵌入凸部を設けることで、金具設置時に押し込むことにより、その嵌入凸部が反射板の両端に存在する隙間に入り込み、抜けなくすることで、ネジを使用せず、金具を設置することができる。
【００７５】
本発明の態様１０に係る照明装置は、上記態様８または９において、上記金具が、上記反射板に形成された穴を塞ぐ位置に配置されていることが好ましい。上記構成によれば、絶縁テープなどを用いること無く、反射板に形成された穴を金具で塞ぐことができる。
【００７６】
〔本発明の別の表現〕
本発明は、以下のように表現することもできる。すなわち、本発明の一態様に係る照明装置は、部材に装着され、電源部を格納する電源格納部と、上記電源格納部に取り付けられ、複数のＬＥＤを格納する光源格納部とを備えた照明装置であって、上記光源格納部は、上記複数のＬＥＤを実装するＬＥＤ実装基板と、上記ＬＥＤ実装基板を固定し、上記複数のＬＥＤから出射した光を反射する反射板と、上記ＬＥＤ実装基板を覆うカバーと、上記光源格納部の一端および他端を覆うサイドカバーと上記反射板と上記カバーにそれぞれ設けられ、上記反射板と上記カバーとを係合し、上記カバーを上記反射板に相対的にスライドできるための係合部と、を備え、上記係合部は、上記反射板に設けられ、上記部材に水平方向で、かつ上記反射板の内側方向に突出するように形成された係合雄片と、上記カバーに設けられ、上記部材に水平方向で、かつ上記カバーの外側方向に形成され、上記係合雄片に係合するように形成された係合雌溝とを備えた構成であっても良い。これにより、透光性カバーが落下するのを防止すると共に、光源格納部の内部に埃や虫が侵入するのを防止することができる。
【００７７】
また、本発明の別の態様に係る照明装置は、上記の構成に加えて、上記電源格納部の部材対向面は、上記部材に装着される第１の突起部を備えていても良い。これにより、電源格納部の表面に第１の突起部を設けて、部材（天井）の凹凸を吸収できる。
【００７８】
また、本発明のさらに別の態様に係る照明装置は、上記の構成に加えて、上記電源格納部は、配線用の穴と、天井取付用の穴とを備えていても良い。
【００７９】
また、本発明のさらに別の態様に係る照明装置は、上記の構成に加えて、上記係合雄片は、上記反射板の長手方向の一端から他端にかけて折り曲げて形成され、上記係合雌溝は、上記カバーの長手方向の一端から他端にかけて折り曲げて形成されていることが好ましい。これにより、係合雄片および係合雌溝は、共に折り曲げて形成されており、係合部の表面が露出していないため、直接、埃や虫が侵入する恐れはない。
【００８０】
また、本発明のさらに別の態様に係る照明装置は、上記の構成に加えて、上記サイドカバーは、上記カバー内周に内接するような構造を備えていることが好ましい。これにより、埃や虫が侵入するのを防止できる。
【００８１】
また、本発明のさらに別の態様に係る照明装置は、上記の構成に加えて、上記光源格納部を電源格納部に密着して取り付けられ、上記係合部は、本装置の内部に形成されていることが好ましい。これにより、係合部は表面に露出しておらず、係合部は照明装置の内部に形成されている。このため、直接、埃や虫が侵入する恐れはない。
【００８２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８３】
本発明は、光源から出射される光を反射する反射板と、反射板の光源が実装される光源実装基板が固定される側を被覆するカバーと、を備えた反射板ユニット、および該反射板ユニットを備えた照明装置に利用することができる。
【符号の説明】
【００８４】
１    カバー
１ａ  凹溝
２    サイドカバー
３    反射板
３ａ  突出片
４    ＬＥＤ実装基板（光源実装基板）
４ａ  ＬＥＤ（光源）
５    バネ部
１１    バネ受け部
１２    内周部
１５    固定金具（金具）
１５ａ  当接片
１５ｂ  嵌入凸部
２０    照明装置
２１    反射板ユニット
３０    電源格納部
３１    解除穴
３３    突起（突起部）
３５    取付穴（取付用の穴）
３６    配線穴（配線用の穴）
４０    光源格納部
Ｃ    隙間
Ｊ    係合部
ＳＵＦ１  底面
ＳＵＦ２  対向面
【図１】
2016052486.tif 000003
【図２】
2016052486.tif 000004
【図３】
2016052486.tif 000005
【図４】
2016052486.tif 000006
【図５】
2016052486.tif 000007
【図６】
2016052486.tif 000008
【図７】
2016052486.tif 000009
【図８】
2016052486.tif 000010
【図９】
2016052486.tif 000011
【図１０】
2016052486.tif 000012
【図１１】
2016052486.tif 000013
【図１２】
2016052486.tif 000014
【図１３】
2016052486.tif 000015
【図１４】
2016052486.tif 000016
【図１５】
2016052486.tif 000017
【図１６】
2016052486.tif 000018
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
光源から出射される光を反射する反射板と、上記反射板の上記光源が実装される光源実装基板が固定される側を被覆するカバーと、を備えた反射板ユニットであって、上記反射板の互いに対向する両端のそれぞれには、上記光源実装基板の基板面に沿い、かつ上記反射板の中央に向かう向きに突出する突出片が形成され、上記カバーの互いに対向する両端のそれぞれには、上記光源実装基板の基板面に沿い、かつ上記反射板の外側に向う向きに延在する凹溝が形成され、上記突出片が上記凹溝の内部に嵌入することで上記突出片と上記凹溝とが互いに係合する係合部を備えている反射板ユニット、を含み、かつ上記光源を格納する光源格納部と、上記光源格納部に取付けられ、電源部を格納する電源格納部と、を備えた照明装置であって、
上記電源格納部の上記光源格納部が取り付けられる側と反対側の表面に突起部が形成されており、
上記カバーの上記両端に形成された上記凹溝の底に位置する底面に対向する対向面に当接する当接片を両端に備え、上記当接片が上記対向面を押す力により上記係合部の係合状態の解除を防止する金具を備えていることを特徴とする照明装置。
【請求項２】
上記突出片は、上記反射板の上記両端のそれぞれが、上記反射板の中央に向かう向きに折り曲げられることによって形成され、
上記凹溝は、上記カバーの上記両端のそれぞれが、上記反射板の外側に向かう向きに折り曲げられることによって形成されていることを特徴とする請求項１に記載の照明装置。
【請求項３】
上記反射板ユニットの互いに対向する両端のそれぞれを覆うサイドカバーを備え、
上記サイドカバーは、上記カバーの内周部に内接する構造を備えていることを特徴とする請求項１に記載の照明装置。
【請求項４】
上記光源格納部は、上記電源格納部に密着して取り付けられ、
上記係合部は、上記照明装置の内部に形成されていることを特徴とする請求項１または３に記載の照明装置。
【請求項５】
上記金具の上記当接片の上記対向面に当接する側に、上記反射板の上記両端に存在する隙間に嵌入される嵌入凸部が形成されていることを特徴とする請求項１に記載の照明装置。
【請求項６】
上記金具が、上記反射板に形成された穴を塞ぐ位置に配置されていることを特徴とする請求項１または５に記載の照明装置。
【手続補正３】
【補正対象書類名】明細書
【補正対象項目名】０００６
【補正方法】変更
【補正の内容】
【０００６】
上記の課題を解決するために、本発明の一態様に係る反射板ユニットは、光源から出射される光を反射する反射板と、上記反射板の上記光源が実装される光源実装基板が固定される側を被覆するカバーと、を備えた反射板ユニットであって、上記反射板の互いに対向する両端のそれぞれには、上記光源実装基板の基板面に沿い、かつ上記反射板の中央に向かう向きに突出する突出片が形成され、上記カバーの互いに対向する両端のそれぞれには、上記光源実装基板の基板面に沿い、かつ上記反射板の外側に向う向きに延在する凹溝が形成され、上記突出片が上記凹溝の内部に嵌入することで上記突出片と上記凹溝とが互いに係合する係合部を備えている反射板ユニット、を含み、かつ上記光源を格納する光源格納部と、上記光源格納部に取付けられ、電源部を格納する電源格納部と、を備えた照明装置であって、上記電源格納部の上記光源格納部が取り付けられる側と反対側の表面に突起部が形成されており、上記カバーの上記両端に形成された上記凹溝の底に位置する底面に対向する対向面に当接する当接片を両端に備え、上記当接片が上記対向面を押す力により上記係合部の係合状態の解除を防止する金具を備えていることを特徴としている。
【国際調査報告】
2016052486.tif 000019
2016052486.tif 000020
2016052486.tif 000021
2016052486.tif 000022